(57)【要約】      （修正有）【課題】弾性体の被保持部を保持体に良好に保持させることで、耐久性能を高く維持することができる逆止弁及びそのような逆止弁を備える給湯機を提供する。【解決手段】弁座２１と、弁座２１に接触する弾性体２５と、弾性体２５を保持する保持体２３と、弾性体２５を弁座２１に押し付けるように付勢力を発生させる付勢体２９とを有し、弾性体２５と保持体２３との間には、弾性体２５が弁座２１に押し付けられた際に弾性体２５が弁座２１とは逆方向に撓むことを許容する空間Ｓが設けられ、弾性体２５は、保持体２３に保持される径方向中央側の被保持部３１と、弁座２１に当接する径方向外側の当接部３３と、被保持部３１と当接部３３との間に位置し、被保持部３１よりも弾性変形しやすく形成される易変形部３４とを有する。【選択図】図３
2014020399.tif 000002
【特許請求の範囲】
【請求項１】
弁座と、前記弁座に接触する弾性体と、前記弾性体を保持する保持体と、前記弾性体を前記弁座に押し付けるように付勢力を発生させる付勢体とを有し、
前記弾性体と保持体との間には、前記弾性体が前記弁座に押し付けられた際に前記弾性体が前記弁座とは逆方向に撓むことを許容する空間が設けられ、
前記弾性体は、前記保持体に保持される径方向中央側の被保持部と、前記弁座に当接する径方向外側の当接部と、前記被保持部と当接部との間に位置し、前記被保持部よりも弾性変形しやすく形成される易変形部とを有することを特徴とする逆止弁。
【請求項２】
前記弾性体は、前記易変形部が前記被保持部よりも薄く形成されることを特徴とする請求項１に記載の逆止弁。
【請求項３】
前記弾性体は、前記弁座側を向く弁座側面と前記保持体側を向く保持体側面とを有し、前記保持体側面において、前記被保持部よりも径方向外側の部分が前記弁座側面に向かって退避する退避部が形成されることを特徴とする請求項１に記載の逆止弁。
【請求項４】
前記弾性体は、前記弁座側面において、前記退避部と重複する径方向位置に前記保持体側面に向かって凹む凹部が形成されることを特徴とする請求項３に記載の逆止弁。
【請求項５】
請求項１〜４のいずれか一項に記載の逆止弁を備える給湯機。
【発明の詳細な説明】
【技術分野】
【０００１】
本発明は、逆止弁及び給湯機に関し、特に給湯機の逆流防止装置内に用いられ、二次側の水（又は湯）が一次側へ逆流するのを防止する逆止弁及び給湯機に関する。
【背景技術】
【０００２】
近年、電気給湯機やガス給湯器などに代表される給湯機内には、逆止弁が内装されている。これら給湯機は、一般的に１０年以上使用し続けるものであり、機内に配設された逆止弁には、二次側に設けられている浴槽からの逆流水が一次側の上水道に逆流することを防止するために高い密着性能に加え、十分な耐久性能が求められている（例えば、特許文献１）。
【０００３】
特許文献１の逆止弁は、弁棒にディスク状の弾性体を支持する受け部を設け、該受け部は前記弾性体を直接受ける高台部と該高台部との間に隙間を有する平坦部とを備える構造とすることにより、弾性体全体がたわむことで弁座との密着性を確保するものである。
【先行技術文献】
【特許文献】
【０００４】
【特許文献１】特許第３８７６２９７号公報
【発明の概要】
【発明が解決しようとする課題】
【０００５】
しかしながら、この弾性体は、径方向中央側から外側にかけて弾性変形しやすさが一様であるため、弾性体が弁座に当接した際に、弾性弁体が弾性変形して生じる応力がそのまま弾性弁体の被保持部に作用してしまう。
【０００６】
従って、弾性弁体が弁棒から外れてしまうなど、保持体が弾性体の被保持部を良好に保持することができないおそれがあった。
【０００７】
そこで、本発明は、弾性体の被保持部を保持体に良好に保持させることで、耐久性能を高く維持することができる逆止弁を提供することを目的とする。
【課題を解決するための手段】
【０００８】
本発明は、弁座と、前記弁座に接触する弾性体と、前記弾性体を保持する保持体と、前記弾性体を前記弁座に押し付けるように付勢力を発生させる付勢体とを有し、前記弾性体と保持体との間には、前記弾性体が前記弁座に押し付けられた際に前記弾性体が前記弁座とは逆方向に撓むことを許容する空間が設けられ、前記弾性体は、前記保持体に保持される径方向中央側の被保持部と、前記弁座に当接する径方向外側の当接部と、前記被保持部と当接部との間に位置し、前記被保持部よりも弾性変形しやすく形成される易変形部とを有することを特徴とする。
【発明の効果】
【０００９】
本発明によれば、弾性体の被保持部を保持体に良好に保持させることができ、逆止弁の耐久性能を高く維持することができる。
【図面の簡単な説明】
【００１０】
【図１】実施形態１に係る逆止弁を備えた給湯機のシステム図を示す。
【図２】実施形態１に係る逆止弁の断面図を示す。
【図３】弁閉状態の逆止弁の断面図を示す。
【図４】実施形態２に係る逆止弁の断面図を示す。
【発明を実施するための形態】
【００１１】
以下、本発明の実施形態１について、説明する。
【００１２】
図１に示すように、電気給湯機１０内には、湯を貯蔵する貯湯タンク１１と湯を生成するための熱源であるヒートポンプユニット１２と湯と水を混合する混合弁１３と前期混合弁で混合された適温の湯を浴槽へ注湯するための開閉手段である電磁弁１４と二次側からの汚染水が一次側へ逆流するのを防ぐ逆止弁１５を備える。逆止弁１５は、上述のような電磁弁１４と一体化されて電磁弁ユニットとして構成されることもある。
【００１３】
次に、本実施形態に基づく逆止弁１５について、図２を用いて説明する。逆止弁１５は、弁座２１と、弁座２１に接触する弾性体２５と、弾性体２５を保持する保持体２３と、弾性体２５を弁座２１に押し付けるように付勢力を発生させる付勢体２９とを有する。この弾性体２５と保持体２３とによって、弁座２１に着座する弁体が構成される。弾性体２５と保持体２３との間には、弾性体２５が弁座２１に押し付けられた際に弾性体２５が弁座２１とは逆方向に撓むことを許容する空間Ｓが設けられる。そして、弾性体２５は、保持体２３に保持される径方向中央側の被保持部３１と、弁座２１に当接する径方向外側の当接部３３と、被保持部３１と当接部３３との間に位置し、被保持部３１よりも弾性変形しやすく形成される易変形部３４とを有する。
【００１４】
図２に本実施形態に基づく逆止弁１５の断面図を示す。逆止弁１５は、円筒状のケース２０を有し、このケース２０の上部内周面に沿って弁座２１が形成されている。弁座２１は流体の逆圧方向に突出する周壁を備え、この弁座２１の周壁頭頂部に弾性体２５が当接する。ケース２０の下端部にはガイド２２が挿入されており、該ガイド２２の中心部には保持体２３を軸方向に移動可能に支持するための支持部材２４が設けられている。支持部材２４には、保持体２３の円柱状の軸が挿通される円筒状の空間が形成されている。保持体２３の先端には弾性体２５の抜けを防止する抜止部２６が設けられ、抜止部２６の下側には弾性体２５をはめ込むための首下部２７を設けられている。首下部２７の下側には、弾性体２５を支える受け部２８が設けられ、受け部２８の逆圧側には、付勢体２９を構成するバネを軸方向に固定するための凹み形状をしたバネ固定部３０が設けられる。
【００１５】
弾性体２５は、易変形部３４が被保持部３１よりも薄く形成される。具体的には、弾性体２５は、弁座２１側を向く弁座側面と保持体２３側を向く保持体側面とを有し、保持体側面において、被保持部３１よりも径方向外側の部分が弁座側面に向かって退避する退避部３２が形成される。このような弾性体２５の形状により、易変形部３４が被保持部３１よりも薄く形成され、弾性体２５と保持体２３との間に空間Ｓが形成される。
【００１６】
弾性体２５は、円盤状を有し、弾性を有するゴム材料を用いて形成される。弾性体２５は、径方向中央側に貫通孔を有する。貫通孔は、首下部２７と同等の大きさを有する。
【００１７】
次に、本実施形態の動作について説明する。図３に示すように、保持体２３に付勢体２９による付勢力がかかる場合、弁座２１に当接した弾性体２５は、当接部３３がバネ２９の押圧により保持体側に向かって後退するようにたわむ。具体的には、弾性体２５は、被保持部３１と易変形部３４との境界部を支点として空間Ｓを埋めるように変形する。そして、弁座２１が当接部３３を押す方向へ発生する力に対し、弾性体２５内に応力が発生する。このとき、易変形部３４は、被保持部３１よりも大きく弾性変形する。即ち、易変形部３４が被保持部３１よりも伸張する。これによって、弾性体２５内に発生した応力は、主に易変形部３４によって受け止められ、被保持部３１に作用する応力は小さくなる。
【００１８】
従って、逆止弁１５の開閉動作が繰り返し行なわれても、被保持部３１へかかる応力が軽減されることで、被保持部３１が首下部２７から引き離される状態を軽減でき、弾性体２５が保持体２３から外れる可能性を軽減することができる。よって、長期にわたる開閉動作の中で弾性体２５と保持体２３との間に発生する隙間が拡大し、やがて弾性体２５が保持体２３から外れてしまうような事態を良好に防止することができる。
【００１９】
上記のような逆止弁１５によれば、弾性体２５が弁座２１に当接して弾性変形した際に、弾性体２５が引っ張られて応力が生じたとしても、易変形部３４が他の部分よりも大きく変形することによって応力が吸収され、被保持部３１には小さく抑制された状態で伝達されることとなる。従って、弾性体２５の被保持部３１を保持体２３に良好に保持させることができ、逆止弁１５の耐久性能を高く維持することができる。
【００２０】
以下、本発明の実施形態２について説明する。なお、実施形態１と共通する部分に関しては説明を割愛する。
【００２１】
図４に示すように、実施形態２に係る逆止弁１５の弾性体２５は、弁座２１側を向く弁座側面（即ち、逆止弁１５における正圧側の面）において、退避部３２と重複する径方向位置に保持体側面に向かって凹む凹み部３５が形成される。このように、凹み部３５が退避部３２と重なることにより、易変形部３４の断面積はさらに少なくなり（即ち、薄くなり）、易変形部３４がさらに伸張しやすくなる。従って、当接部３３から被保持部３１へ伝わる応力がさらに低減される。
【００２２】
なお、本発明は、上記実施形態に記載した構成に限定されるものではなく、その趣旨を逸脱しない範囲において適宜その構成を変更することができる。
【符号の説明】
【００２３】
１０…電気給湯機、１１…貯湯タンク、１２…ヒートポンプユニット、１３…混合弁、１４…電磁弁、１５…逆止弁、２０…ケース、２１…弁座、２２…ガイド、２３…保持体、２４…支持部材、２５…弾性体、２６…抜止部、２７…首下部、２８…受け部、２９…付勢体、３０…バネ固定部、３１…被保持部、３２…退避部、３３…当接部、３４…易変形部、３５…凹み部、３３…当接部、Ｓ…空間
【図１】
2014020399.tif 000003
【図２】
2014020399.tif 000004
【図３】
2014020399.tif 000005
【図４】
2014020399.tif 000006